(57)【要約】【課題】照明無しの時は反射リングとしての装飾存在の効果を有しながら、照明有りの時はリング自体が発光することで、『光』の演出となる二重の装飾効果を有する自動車のメータ用の装飾リングを提供する。【解決手段】自動車のメータの周囲に配設されるメータ用の装飾リング１０であって、透光性材料で断面が逆Ｕ字状など立体的な構造を有する形状に形成された透光性リング１１と、透光性リング１１の表面にメッキ処理を施されたメッキ１２と、から構成することで二重の装飾効果を備えるようにした。【選択図】図１
2010185696.tif 000002
【特許請求の範囲】
【請求項１】
自動車のメータの周囲に配設されるメータ用の装飾リングであって、透光性材料で断面が逆Ｕ字状など立体的な構造を有する形状に形成された透光性リングと、該透光性リングの表面の一部にメッキ処理を施されたメッキと、から構成されたことを特徴とするメータ用の装飾リング。
【請求項２】
前記メッキ部分の下の前記透光性材料を不透光性材料と置き換えたことを特徴とする請求項１記載のメータ用の装飾リング。
【請求項３】
前記メッキ処理を施された部分が、前記Ｕ字状など立体的な構造を有する形状の透光性リングの天辺の全周であることを特徴とする請求項１又は２記載のメータ用の装飾リング。
【請求項４】
前記メッキ処理を施された部分が、前記Ｕ字状など立体的な構造を有する形状の透光性リングの両脚部の一方または両方の全周であることを特徴とする請求項１又は２記載のメータ用の装飾リング。
【発明の詳細な説明】
【技術分野】
【０００１】
本発明は、メータ用の装飾リングに関するもので、特に自動車のメータに設定のある装飾リングの昼と夜のそれぞれの「見栄え」を異なるようにした「装飾効果」を有するリングに関するものである。
【背景技術】
【０００２】
従来より、自動車のメータの周囲に装飾リングを配設してメータの「見栄え」をよくすることが行われていた（特許文献１参照）。
〈従来の装飾リングは２種あった〉
メータに設けられる装飾リングは、（ａ）透光性のあるリング状のもの自体が、バックライト等の照明光により発光しているように見える演出効果を持った装飾リングと、（ｂ）メッキなどにより光の反射による金属光沢を発する演出効果を持った装飾リング、とのいずれかの光（反射光か発光光）に対する演出効果しか持たないものであった。
【先行技術文献】
【特許文献】
【０００３】
【特許文献１】特開２００７−１９８９４１号公報
【０００４】
〈透光型タイプの装飾リング〉
図５は透光型タイプの従来の装飾リングを示す図で、（ａ）は図５（ｂ）のＡ−Ａ断面図、（ｂ）は斜視図である。
装飾リング３０のＡ−Ａ断面は図５（ａ）のように逆Ｕ字状をした透光性の生地５１から成る。「透光性」の定義はここでは透明はもとより、着色されたクリア−系、乳白色など光を遮光しない材料の全般のことを指している。
そこで、逆Ｕ字状をした透光性の生地５１の下側（開口側）にバックライトを置くと、透光型タイプの装飾リング５０に光が入射し、導光し、出射するので、あたかも装飾リング５０自体が全体で発光しているように明るく見える。
【０００５】
〈反射型タイプの装飾リング〉
図６は反射型タイプの従来の装飾リングを示す図で、（ａ）は図６（ｂ）のＡ−Ａ断面図、（ｂ）は斜視図である。
リング６０のＡ−Ａ断面は図（ａ）のように逆Ｕ字状をした不透光性の生地６１の表面にメッキ６２を施したものから成る。そこで、メッキ６２に照明が当たるとメッキ６２の表面で光が反射して金属光沢のある装飾リング６０として見える。
【０００６】
〈指針式表示装置への適用例〉
図７はこれらの従来の装飾リングを適用した自動車の指針式表示装置を示す正面図で、（ａ）はＡ車の指針式表示装置５００、（ｂ）はＢ車の指針式表示装置６００を示している。
この指針式表示装置５００、６００は、共に、スピードメータ、燃料メータ、水温メータ、タコメータ、オドメータ等が一体化されたコンビネーションメータで、見返しと、文字板と、指針と、ＬＣＤと、光源である複数のＬＥＤを有している。
図７（ａ）では、この指針式表示装置５００のメータの周囲に透光型タイプの装飾リング５０（図５）を嵌め込んでおり、図７（ｂ）では、指針式表示装置６００のメータの周囲に金属光沢（反射型）の装飾リング６０（図６）を嵌め込んでいる。
【０００７】
〈従来の装飾リングの欠点〉
以上のように、従来の装飾リングは、（ａ）透光性の装飾リングと、（ｂ）金属光沢の装飾リングのいずれかの機能しか備えていなかった。そこで、図７で、Ａ車が透光性の装飾リング５０を用いたら常にバックライトによる透光性の装飾リング５０の機能しかなく、また、Ｂ車が金属光沢の装飾リング６０を用いたら常に金属光沢による装飾リング６０の機能しか行わない、といったようにどちらかの演出効果しか持たないものであった。
したがって演出効果としては従来の装飾リングでは単純で退屈なものとなっていた。
【発明の概要】
【発明が解決しようとする課題】
【０００８】
本発明は、上記した課題を解決するもので、従来の装飾リングに無いような発光により、リングとしての装飾と光の演出効果の両方を有するリング仕様機能となるようにし、商品力の向上に貢献できる装飾リングを提供することを目的としている。
【課題を解決するための手段】
【０００９】
上記目的を達成するために、第１発明は、メータ用の装飾リングに係り、自動車のメータの周囲に配設されるメータ用の装飾リングであって、透光性材料で断面が逆Ｕ字状など立体的な構造を有する形状に形成された透光性リングと、該透光性リングの表面の一部にメッキ処理を施されたメッキと、から構成されたことを特徴としている。
第２発明は、請求項１記載のメータ用の装飾リングにおいて、前記メッキ部分の下の前記透光性材料を不透光性材料と置き換えたことを特徴としている。
第３発明は、請求項１又は２記載のメータ用の装飾リングにおいて、前記メッキ処理を施された部分が、前記Ｕ字状など立体的な構造を有する形状の透光性リングの天辺の全周であることを特徴とし、第４発明は、請求項１又は２記載のメータ用の装飾リングにおいて、前記メッキ処理を施された部分が、前記Ｕ字状など立体的な構造を有する形状の透光性リングの両脚部の一方または両方の全周であることを特徴としている。
【発明の効果】
【００１０】
このような構成により、従来の装飾リングに無いような発光により、金属リングとしての装飾と光の演出効果の両方を有するリング仕様機能となるようにでき、したがって商品力の向上に貢献できる装飾リングが得られる。
【図面の簡単な説明】
【００１１】
【図１】本発明の実施例１に係る装飾リングの図で、（ａ）は図１（ｃ）のＡ−Ａ断面図、（ｂ）は図１（ａ）の装飾リングの変形図、（ｃ）は斜視図である。
【図２】本発明の実施例２に係る装飾リングの図で、（ａ）は図２（ｃ）のＡ−Ａ断面図、（ｂ）は図２（ａ）の装飾リングの変形図、（ｃ）は斜視図である。
【図３】本発明の実施例３に係る装飾リングの図で、（ａ）は図３（ｃ）のＡ−Ａ断面図、（ｂ）は図３（ａ）の装飾リングの変形図、（ｃ）は斜視図である。
【図４】本発明に係る図１の装飾リングが配設された自動車の指針式表示装置を示す正面図で、（ａ）は夜の状態、（ｂ）は昼の状態を示している。
【図５】透光型タイプの従来の装飾リングを示す図で、（ａ）は図５（ｂ）のＡ−Ａ断面図、（ｂ）は斜視図である。
【図６】反射型タイプの従来の装飾リングを示す図で、（ａ）は図６（ｂ）のＡ−Ａ断面図、（ｂ）は斜視図である。
【図７】これらの従来の装飾リングを適用した自動車の指針式表示装置を示す正面図で、（ａ）はＡ車の指針式表示装置５００、（ｂ）はＢ車の指針式表示装置６００を示している。
【発明を実施するための形態】
【００１２】
以下、本発明に係る自動車のメータ用の装飾リングについて、図面に基づいて説明する。
【実施例１】
【００１３】
〈実施例１の装飾リング〉
図１は本発明の実施例３に係る装飾リングの図で、（ａ）は図１（ｃ）のＡ−Ａ断面図、（ｂ）は図１（ａ）の装飾リングの変形図、（ｃ）は斜視図である。
図１（ａ）において、本発明に係る装飾リング１０は逆Ｕ字状をした透光性の生地１１の表面のＵ字状の両脚部の一方（図で右側）の脚部を残してすべて周方向にメッキ処理を施してメッキ１２が形成されている。この構成により、バックライトが無い昼間などでは周囲の白昼光がメッキによって反射して、メッキと透光部が視認される。
一方、装飾リング１０の視認方向（Ｕ字凸部側）の反対側（Ｕ字の開口側。図で下方）にバックライトを置くと、バックライトから透光性生地１１の中に光が入射しその中を導光してメッキ１２のない部位から光が出射する。メッキ１２のない部位は装飾リングの全周に亘って３６０度延びているので、装飾リング１０の全周から出光し、装飾リングの一部が視認されるためあたかも装飾リング１０の形状が変化したかのように視認される。
このように実施例１の装飾リング１０によれば、メッキ・リング自体の金属光沢の「装飾」の存在を有しながら、夜間などで照明光（文字板などのバックライト光源）が点灯した時は透光部位１１から光が出射することにより、装飾リング１０の形状が変化したかのような光（照明）による二重の演出効果が図られる。
【００１４】
〈実施例１の変形例〉
変形例である装飾リング１５によれば、図１（ａ）のメッキ１２の塗られている透光性材料１１の部分はどっちみち透光しないため、透光性材料１１にしておくことは無駄なので、図１（ｂ）のように、安い不透光性材料１６で置き換えるようにしたのである。
これ以外は同じであり、装飾リング１５によれば、メッキ・リング自体の金属光沢の「装飾」の存在を有しながら、夜間などで照明光（文字板などのバックライト光源）が点灯した時は透光部位１１から光が出射することにより、装飾リング１５の形状が変化したかのような光（照明）による二重の演出効果が図られる。
【実施例２】
【００１５】
図２は本発明の実施例２に係る装飾リングの図で、（ａ）は図２（ｃ）のＡ−Ａ断面図、（ｂ）は図２（ａ）の装飾リングの変形図、（ｃ）は斜視図である。
図２（ａ）において、実施例２に係る装飾リング２０は逆Ｕ字状をした透光性の生地２１の表面の逆Ｕ字状の天辺（図で上側）を残してすべて周方向にメッキ処理を施してメッキ２２が形成されている。
そこで、装飾リング２０の視認方向の反対側にバックライトを置くと、バックライトから透光性生地２１の中に光が入射しその中を導光してメッキ２２のない部位（すなわち、天辺）から光が出射する。メッキ２２のない天辺部位は装飾リング２０の全周に亘って３６０度延びているので、装飾リング２０の全周から出光し、これによりあたかも装飾リング２０の形状が変化したかのように照明される。
このように実施例２の装飾リング２０によれば、メッキ・リング自体の金属光沢の「装飾」の存在を有しながら、夜間などで文字板などのバックライト光源が点灯した時は透光部位２１から光が出射することにより、装飾リング２０の形状が変化したかのような光（照明）による二重の演出効果が図られる。
【００１６】
〈実施例２の変形例〉
変形例である装飾リング２５によれば、図２（ａ）のメッキ２２の塗られている透光性材料２１の部分はどっちみち透光しないため、透光性材料２１にしておくことは無駄なので、図２（ｂ）のように、安い不透光性材料２６で置き換えるようにしたのである。
これ以外は同じであり、装飾リング２５によれば、メッキ・リング自体の金属光沢の「装飾」の存在を有しながら、バックライト光源が点灯した時は透光部位２１から光が出射することにより、装飾リング２５の形状が変化したかのような光（照明）による二重の演出効果が図られる。
【実施例３】
【００１７】
図３は本発明の実施例３に係る装飾リングの図で、（ａ）は図３（ｃ）のＡ−Ａ断面図、（ｂ）は図３（ａ）の装飾リングの変形図、（ｃ）は斜視図である。
図３（ａ）において、実施例３に係る装飾リング３０は逆Ｕ字状をした透光性の生地３１の表面の逆Ｕ字状の天辺（図で上側）だけに周方向にメッキ処理を施してメッキ３２が形成されている。
そこで、装飾リング３０の視認方向の反対側にバックライトを置くと、バックライトから透光性生地３１の中に光が入射しその中を導光してメッキ３２のない部位（すなわち、両脚部）から光が出射する。
したがって、メッキ３２のない天辺部位は装飾リング３０の全周に亘って３６０度延びているので、装飾リング３０の全周から出光し、これによりあたかも装飾リング３０の形状が変化したかのように照明される。
一方、バックライトが無い昼間などでは、周囲の白昼光がメッキによって反射してメッキ・リング自体の金属光沢の「装飾」となる。
このように実施例３の装飾リング３０によれば、メッキ・リング自体の金属光沢の「装飾」の存在を有しながら、夜間などで文字板などのバックライト光源が点灯した時は透光部位３１から光が出射することにより、装飾リング３０の形状が変化したかのような光（照明）による二重の演出効果が図られる。
【００１８】
〈実施例３の変形例〉
変形例である装飾リング３５によれば、図３（ａ）のメッキ３２の塗られている透光性材料３１の部分はどっちみち透光しないため、透光性材料３１にしておくことは無駄なので、図３（ｂ）のように、安い不透光性材料３６で置き換えるようにしたのである。
これ以外は同じであり、装飾リング３５によれば、メッキ・リング自体の金属光沢の「装飾」の存在を有しながら、夜間などでバックライト光源が点灯した時は透光部位３１から光が出射することにより、装飾リング３５の形状が変化したかのような光（照明）による二重の演出効果が図られる。
【００１９】
図４は本発明に係る図１の装飾リングが配設された自動車の指針式表示装置を示す正面図で、（ａ）は夜の状態、（ｂ）は昼の状態を示している。
図４において、１００は自動車の指針式表示装置で、本発明に係る装飾リング１０（図１）がメータの周囲に配設されている。装飾リング１０は同じ装飾リングでありながら、昼（ａ）はメッキ・リング自体の「金属光沢」の装飾リング１０Ｒとなり、夜（ｂ）はバックライトによるリングが部分的に発光する装飾リング１０Ｄとなることで、二重の装飾効果（１０Ｄ、１０Ｒ）を有している。
これにより、従来には無いような発光により、リングとしての装飾と光の演出効果の両方を有するリング仕様機能となり、商品力の向上に貢献することができる。
【００２０】
以上、本発明によれば、従来の装飾としての『リング』に対し、照明無しの時は金属光沢のリングとしての装飾存在の効果を有しながら、照明有りの時はリングが部分的に発光することで、『光』の演出となる装飾効果を有する機能を持たせることができる。
これにより、従来にはないような発光により、リングとしての装飾と光の演出効果の両方を有するリング仕様機能となる。したがって、商品力の向上に貢献することができる。
なお、本発明の実施例では逆Ｕ字形状での例を説明したが、本発明での形状は逆Ｕ字形状に限定されるものではなく、逆Ｖ字形状、三角形状等立体的な構造を有するように構成された形状であれば良い。
【符号の説明】
【００２１】
１０、１５  実施例１に係る装飾リング
１１  透光性生地
１２  メッキ
１６  不透光性材料
２０、２５  実施例２に係る装飾リング
２１  透光性生地
２２  メッキ
２６  不透光性材料
３０、３５  実施例３に係る装飾リング
３１  透光性生地
３２  メッキ
３６  不透光性材料
１００  本発明の装飾リングが適用された指針式表示装置
１０Ｄ  透光モードの装飾リング
１０Ｒ  金属光沢（反射）モードの装飾リング
【図１】
2010185696.tif 000003
【図２】
2010185696.tif 000004
【図３】
2010185696.tif 000005
【図４】
2010185696.tif 000006
【図５】
2010185696.tif 000007
【図６】
2010185696.tif 000008
【図７】
2010185696.tif 000009